(57)【特許請求の範囲】
【請求項１】
天板の縁部に沿って遮蔽パネルが設けられるものにおいて、
前記遮蔽パネルが弾性変形可能な平板状のパネル素材より形成されているとともに、
剛体である天板の縁部若しくは当該縁部に沿って前記天板より離間した位置に設けた複数の取付部からなる形状確定手段を備えており、
当該形状確定手段が、前記天板の縁部に沿って前記遮蔽パネルの形状が確定された前記遮蔽パネルの一部を前記各取付部に各々取り付けるものであり、
前記取付部に、前記遮蔽パネルの湾曲形状を保持する枠部材を含み、この枠部材に沿って前記遮蔽パネルの縁部を取り付けることを特徴とする天板付き家具。
【請求項２】
前記遮蔽パネルが湾曲方向に隣接する取付部間でほぼ一様な変形状態となるように構成
したことを特徴とする請求項１に記載の天板付き家具。
【請求項３】
前記遮蔽パネルが、前記天板の上部に起立させたデスクトップパネルまたは前記天板の
下部で設置面近傍までを覆う幕板の少なくともいずれかとして設けられていることを特徴
とする請求項１または２に記載の天板付き家具。
【請求項４】
前記天板が複数の天板要素を幅方向に連結して構成されているとともに、前記遮蔽パネ
ルが前記各天板要素の幅と対応した複数のパネル要素を連結して構成されており、各天板
要素の端部近傍に配置された取付部を左右一対としてその間に１個のパネル要素を取り付
けることを特徴とする請求項１〜３のいずれかに記載の天板付き家具。
【請求項５】
前記各パネル要素の隣接する側縁同士を直接または間接的に連結するように構成したこ
とを特徴とする請求項４に記載の天板付き家具。
【請求項６】
前記取付部に、前記天板に固定されるブラケットを含み、このブラケットに前記遮蔽パ
ネルの対応部位を取り付けることを特徴とする請求項１〜５のいずれかに記載の天板付き
家具。
【請求項７】
前記取付部に、前記天板を支持する複数の支持脚を含み、これらの支持脚に前記遮蔽パ
ネルの対応部位を取り付けることを特徴とする請求項１〜６のいずれかに記載の天板付き
家具。
【請求項８】
前記遮蔽パネルに湾曲方向に長孔状をなす貫通孔を設け、この貫通孔に、パネル要素を
取り付けるための止着部を遊嵌させて取り付けるようにしている請求項１〜７のいずれか
に記載の天板付き家具。
【発明の詳細な説明】
【技術分野】
【０００１】
本発明は、天板形状にフィットさせて遮蔽パネルを設けることのできる天板付き家具に関する。
【背景技術】
【０００２】
従来、天板付き家具の中でも、デスクシステムとして、矩形天板を直線状に連ねて大型矩形状テーブルを構成し、複数の者が着座して事務作業を行うことを可能にしたものが一般に良く知られており、その中に下記特許文献１に記載されているものがある。このものは、連結を行う天板の増減を可能に構成されるとともに、隣接する天板間に設けられる中間脚の接地巾を小さくし、かつ、奥行き方向にも小さくして反使用縁側で接地させることによって、天板下の下肢空間を広げて快適な作業空間を確保できるようにされている。
【０００３】
また、こうしたデスクシステムにおいては、着座したものが集中して作業できるように、天板上の空間を外部との間で遮蔽するための、いわゆるデスクトップパネルが取り付けられることが多い。また、美観を整え、外部から見たときの印象をスッキリとさせるため、天板下の下肢空間を外部との間で遮蔽するための、いわゆる幕板が取り付けられることが多い。こうしたデスクトップパネルや幕板は、ともに遮蔽パネルとして構成されるものであり、矩形天板の形状に即して金属や樹脂製の薄板を利用して平板状に形成される。
【０００４】
他方、近時では、様々な作業スタイルに対応できるように、様々な形状のデスクシステムが提案されてきており、その中には、例えば下記特許文献２に記載されているものがある。このものは、単体では扇形または長方形状の天板を有するテーブルを複数個連結することで、円形または楕円の多人数用の連結テーブルとして構成することが可能となっており、こうすることで周囲より内向きに複数の者が着座することができるようになっている。
【先行技術文献】
【特許文献】
【０００５】
【特許文献１】特開２００８−２９５８５３号公報
【特許文献２】実公昭５４−３６８０１号公報
【発明の概要】
【発明が解決しようとする課題】
【０００６】
上記のように、天板付き家具においては天板上にデスクトップパネルが、天板下に幕板が設けられることが一般に良く行われており、これらの遮蔽パネルは天板と一体となって美観を生じさせるものであるため、その一体感をいかに生じさせる構造を備えているかが重要といえる。
【０００７】
他方、上述のように近時では様々な形状の天板が用いられることが多くなってきているため、これらに即した形状に遮蔽パネルを構成することがより困難となってきている。
【０００８】
本発明は、このような課題を有効に解決することを目的としており、具体的には、矩形とは異なる様々な形状に天板を形成した場合であっても、こうした天板形状に沿った形状となって一体感を生じさせることのできる遮蔽パネルを構成できるとともに、安価で組立が容易な天板付き家具を提供することを目的とする。
【課題を解決するための手段】
【０００９】
本発明は、かかる目的を達成するために、次のような手段を講じたものである。
【００１０】
すなわち、本発明の天板付き家具は、天板の縁部に沿って遮蔽パネルが設けられるものにおいて、前記遮蔽パネルが弾性変形可能な平板状のパネル素材より形成されているとともに、剛体である天板の縁部若しくは当該縁部に沿って前記天板より離間した位置に設けた複数の取付部からなる形状確定手段を備えており、当該形状確定手段が、前記天板の縁部に沿って前記遮蔽パネルの形状が確定された前記遮蔽パネルの一部を前記各取付部に各々取り付けるものであり、前記取付部に、前記遮蔽パネルの湾曲形状を保持する枠部材を含み、この枠部材に沿って前記遮蔽パネルの縁部を取り付けることを特徴とする。
【００１１】
このように構成しているため、いかなる形状に天板を構成した場合であっても、適切に天板の縁部に沿って遮蔽パネルの形状を決定させつつ設けることができるため、天板と遮蔽パネルとの間での一体感を生じさせることが可能となる。また、各々の部品製作が容易で安価に製造できるとともに、組立が容易であるため製造コストを低減することも可能となる。
【００１２】
また、各取付部の位置によって遮蔽パネルの形状を確定する際に、遮蔽パネルに過大な応力を作用させて損傷させることがなく、また、取付作業を容易にするためには、前記遮蔽パネルが湾曲方向に隣接する取付部間でほぼ一様な変形状態となるように構成することが好適である。
【００１３】
また、遮蔽パネルを具体的に構成する場合においては、前記遮蔽パネルが、前記天板の上部に起立させたデスクトップパネルまたは前記天板の下部で設置面近傍までを覆う幕板の少なくともいずれかとして設けられているように構成することが好適である。
【００１４】
また、この天板付き家具が複数の構成要素を連結されて構成されるものであり、適宜連結数の増減を可能にする場合には、前記天板が複数の天板要素を幅方向に連結して構成されているとともに、前記遮蔽パネルが前記各天板要素の幅と対応した複数のパネル要素を連結して構成されており、各天板要素の端部近傍に配置された取付部を左右一対としてその間に１個のパネル要素を取り付けるように構成することが好適である。
【００１５】
また、遮蔽パネルを複数のパネル要素とする場合に、各パネル要素の端部の位置決めをより安定して行わせて、パネル要素間で隙間を生じさせることなく遮蔽効果を高めるためには、前記各パネル要素の隣接する側縁同士を直接または間接的に連結するように構成することが好適である。
【００１６】
また、遮蔽パネルの形状を確定するための取付部を有効に構成するためには、前記取付部に、前記天板に固定されるブラケットを含み、このブラケットに前記遮蔽パネルの対応部位を取り付けるように構成することが好適である。
【００１７】
同様に、取付部を有効に構成するためには、前記取付部に、前記天板を支持する複数の支持脚を含み、これらの支持脚に前記遮蔽パネルの対応部位を取り付けるように構成することが好適である。
【００１８】
また、遮蔽パネルの形状をより微細に設定することを可能とするためには、前記取付部に、前記遮蔽パネルの湾曲形状を保持する枠部材を含み、この枠部材に沿って前記遮蔽パネルの縁部を取り付けるように構成することが好適である。
【００１９】
また、遮蔽パネルの湾曲を妨げることがないとともに、無理な力を作用させることなく容易に取り付けることを可能とするためには、前記遮蔽パネルに湾曲方向に長孔状をなす貫通孔を設け、この貫通孔に、パネル要素を取り付けるための止着部を遊嵌させて取り付けるように構成することが好適である。
【発明の効果】
【００２０】
以上説明した本発明によれば、様々な形状に天板を形成した場合でも、天板の形状に即した形状に遮蔽パネルを構成して、全体的な一体感を生じさせることができるとともに、安価で製作が容易な天板付き家具を提供することが可能となる。
【図面の簡単な説明】
【００２１】
【図１】本発明の一実施形態に係る天板付き家具としてのデスクシステムの斜視図。
【図２】同デスクシステムの平面図。
【図３】図２の一部を拡大した部分断面平面図。
【図４】同デスクシステムの一部を分解した分解斜視図。
【図５】同デスクシステムにおける支持脚と湾曲パネル要素との連結方法を示す要部分解斜視図。
【図６】同デスクシステムにおける支持脚と湾曲パネル要素に対する扇形天板要素の連結方法を示す要部分解斜視図。
【図７】同デスクシステムにおける扇形天板要素同士の連結方法を示す裏面方向から見た要部分解斜視図。
【図８】同デスクシステムにおける扇形天板要素と支持脚と湾曲パネル要素に対する弾性パネル要素の連結方法を示す要部分解斜視図。
【図９】同デスクシステムにおける弾性パネル要素に対する下枠の取付方法を示す要部分解斜視図。
【図１０】同デスクシステムにおける扇形天板要素より一部の配線蓋を取り外した状態を示す要部拡大斜視図。
【図１１】同デスクシステムにおける扇形天板要素より配線蓋と配線蓋受けとを取り外した際の要部分解斜視図。
【図１２】同デスクシステムにおける隣接する弾性パネル同士の接続手段を示す模式図。
【図１３】隣接する弾性パネル要素同士の接続手段に関する変形例を示す模式図。
【図１４】同デスクシステムにおける下枠の構成を変形した変形例を示す要部分解斜視図。
【図１５】同デスクシステムにおける湾曲パネル要素および弾性パネル要素と扇形天板要素との連結構造を変形した変形例を示す分解斜視図。
【図１６】弾性パネル要素と下枠との接続手段に関する変形例を示す模式図。
【図１７】弾性パネル要素の取付構造に関する変形例を示す模式図。
【図１８】天板の形状を異ならせた場合の変形例を示す模式図。
【図１９】同デスクシステムにおける配線蓋と配線蓋受けの形状を異ならせた変形例を示す一部断面平面図。
【発明を実施するための形態】
【００２２】
以下、本発明の実施形態を、図面を参照して説明する。
【００２３】
この実施形態の天板付き家具としてのデスクシステムは、図１に示すように、９個の扇形天板要素２１〜２１を連結してＣ形に構成される天板としての部分環状天板２を備えており、この内周側を着座位置とすることができるようになっている。また、この部分環状天板２は２〜９個の範囲で連結させる扇形天板要素２１〜２１の個数を変更して構成することが可能となっている。
【００２４】
部分環状天板２は一箇所に開口部２ａが設けられており、この部分より人の出入りが可能に構成されている。そして、部分環状天板２を支持するための支持脚３として、端部支持脚３１、３１および中間脚３２〜３２が設けられている。このうち端部支持脚３１、３１は、開口部２ａに隣接する扇形天板要素２１、２１の開口部２ａ側の側縁に設けられている。また、中間脚３２〜３２は各々扇形天板要素２１〜２１同士の連結部の下に設けられており、同時に２つの扇形天板要素２１、２１を支持するようにされている。このため、部品点数を少なく構成できて製作コストおよび組立工数を削減することを可能とするとともに、下肢空間を最大限に広げることができるようにしている。
【００２５】
各扇形天板要素２１〜２１に対応して、その下側の下肢空間を設置面近傍までの範囲で外周側より遮蔽する湾曲パネル要素４１〜４１と、上側の作業空間を外周側より遮蔽する弾性パネル要素５１〜５１と、この弾性パネル要素５１〜５１を取り付けるための下枠６１〜６１とが各々設けられている。湾曲パネル要素４１〜４１および弾性パネル要素５１〜５１は、ともにパネル要素として構成されるとともに部分環状天板２の外周に沿って連続する非平面パネルを構成する。湾曲パネル要素４１〜４１は全体として遮蔽パネルの一つである所謂幕板を構成し、天板としての部分環状天板２全体の下側を外部より遮蔽する。また、弾性パネル要素５１〜５１は全体として遮蔽パネルの一つである所謂デスクトップパネルを構成し、天板としての部分環状天板２全体の上側を外部より遮蔽する。
【００２６】
このデスクシステム１を上方より見た平面図を図２に示す。各扇形天板要素２１〜２１は全て同一形状で平面視扇形に構成しており、中心が略同一となるように配置して隣接するもの同士の側縁２１ａ〜２１ａを突き合わせつつ連結するようにしている。また、図２および図３に示したように、各扇形天板要素２１〜２１の内周縁２１ｃ〜２１ｃは連結されることで同一の曲率の一個の円弧として扇形天板要素２１の内周縁２ｃを構成する。同様に、各扇形天板要素２１〜２１の外周縁２１ｂ〜２１ｂも一個の円弧としての外周縁２ｂを構成する。
【００２７】
図１を用いて上述したように、各扇形天板要素２１〜２１は支持脚３としての端部脚３１または中間脚３２によって支持されている。具体的には、端部脚３１および中間脚３２は図３に示す位置に配されており、各扇形天板要素２１〜２１の側縁２１ａ〜２１ａの下側で、かつ外周縁２１ｂ〜２１ｂよりに設けている。より具体的には、端部脚３１は開口部２ａに面する位置に設置されており、その接地部３１ｂは長さＬｅとして平面視で扇形天板要素２１の外周縁２１ｂより奥行き方向中央を越える範囲に形成している。また、中間脚３２は扇形天板要素２１〜２１の側縁２１ａ、２１ａを突き合わせた連結部を跨がる位置に設置されており、その接地部３２ｂは、長さＬｉとして扇形天板要素２１の外周縁２１ｂより奥行き方向中央までの間の範囲に形成している。すなわち、端部脚３１の接地部３１ｂの長さＬｅと中間脚３２の接地部３２ｂの長さＬｉとの間にはＬｅ＞Ｌｉの関係がある。さらに、接地部３１ａ、３１ｂは外周側と内側の二点、すなわち上記Ｌｅ、Ｌｉを形成する両端部で少なくとも接地するように形成されていれば良く、こうすることで適切に扇形天板要素２１を各々支持することができる。
【００２８】
このように接地部３１ｂ、３２ｂを構成することによって、開口部２ａ（図１参照）に隣接する扇形天板要素２１、２１は比較的広い範囲で設置領域を確保でき安定して支持することができるようになっている。また、これらの開口部２ａに隣接する扇形天板要素２１、２１の間に挟まれた他の扇形天板要素２１〜２１は設置領域の形成される範囲が小さいものの、後述するように隣接する扇形天板要素２１〜２１との間で互いに支持し合うことによって安定して支持できるようになっている。
【００２９】
以下、本実施形態のデスクシステム１の構成についてさらに詳細に説明を行う。
【００３０】
開口縁２ａに面する扇形天板要素２１とこれに対応する部材を、図４に分解図として示す。この扇形天板要素２１は端部脚３１および中間脚３２に連結されて、これらにより支持される。また、支持脚３である端部脚３１および中間脚３２には湾曲パネル要素４１が連結されるとともに、その上部には弾性パネル要素５１が下枠６１とともに連結されるようになっている。後述するように、弾性パネル要素５１は可撓性を有する平板状のパネル素材として形成しており、形状確定手段５２の作用によって湾曲した形態とすることができるようになっている。また、下枠６１はその湾曲形状を保持するための枠部材としても機能している。
【００３１】
扇形天板要素２１は上面２１ｄを平面として形成されるとともに、使用縁となる内周縁２１ｃにはエッジ部材２２が設けられている。エッジ部材２２を取り付けることにより、美観を高めるとともに触り心地のよい適度なＲ形状と弾性を付与することができる。外周縁２１ｂ側には、小さな扇形形状に切り欠かれて形成された配線蓋用開口部２１ｆ、２１ｇ、２１ｇが、中央部および両端部付近にそれぞれ設けられている。なお、本図では配線蓋は省略して記載している。
【００３２】
また、扇形天板要素２１の下面２１ｅには、隣接する扇形天板要素２１との連結に用いるための連通溝２１ｉ〜２１ｉが各側縁２１ａ、２１ａに向かって形成されており、これらの連通溝２１ｉ〜２１ｉと連続するように連結用凹部２１ｈ〜２１ｈが形成されている。さらには、下面２１ｅの側縁２１ａ〜２１ａ近傍には支持脚３、３と連結するためのネジ穴２１ｐ〜２１ｐが設けられている。また、下面２１ｅにおける外周縁２１ｂ近傍の位置には、ブラケット２３、２３と連結するためのネジ穴２１ｑ、２１ｑが設けられており、ブラケット２３、２３を介して湾曲パネル要素４１と連結することができるようになっている。また、上記ネジ穴２１ｑ、２１ｑから側縁２１ａ、２１ａ寄りとなる位置には別のネジ穴２１ｒ、２１ｒが設けられており、ブラケット２４、２４を介して下枠６１と連結を行うことができるようになっている。
【００３３】
端部脚３１および中間脚３２は、上部に平面状の天板受け部３１ａ、３２ａを各々形成されており、それらの下側には所定の厚みを有する中空パネル状に構成された接地部３１ｂ、３２ｂが各々設けられている。端部脚３１においては天板受け部３１ａと接地部３１ｂがほぼ同一の長さに形成されているため、外観上一体としてみることができる。これに対して、中間脚３２の天板受け部３２ａは、端部脚３１の天板受け部３１ａとほぼ同一の奥行き方向長さとしているが、上述したように接地部３２ｂは端部脚３１の天板受け部３１ｂよりも短く形成されている。そのため、天板受け部３２ａは接地部３２ｂよりも内側に向かって大きく張り出した形状になっている。
【００３４】
なお、接地部３１ｂ、３２ｂは、上述したように下面全体が設置面に対して接地することは必須ではなく、それぞれの下面の奥行き方向の両端近傍に高さ調整機構を有する足部材等を別に設けるなどしてもよい。
【００３５】
湾曲パネル要素４１は、扇形天板要素２１の湾曲に沿った外側に凸となる湾曲形態で構成されており、扇形天板要素２１の下方より接地面近傍までの範囲を外部より覆うことができるように構成している。この湾曲パネル要素４１は、金属鋼板の板金加工およびネジ止めや溶接等による一体化によって所定の厚みを有する中空パネル状に構成している。なお、この内部は単なる中空に限らずペーパーハニカムなどを心材として配置するなど種々の形態にすることが可能である。
【００３６】
なお、湾曲パネル要素４１の下面を接地面に当接するようにして、支持脚３〜３と同様に扇形天板要素２１〜２１の重量を受けるための支持部としての機能を持たせることも可能である。
【００３７】
湾曲パネル要素４１の上部には弾性パネル要素５１を取り付けるためのパネル取付構造５を備えている。また、弾性パネル要素５１は可撓性を有する平板状のパネル素材によって形成されており、湾曲パネル要素４１とほぼ同一曲率で湾曲させた状態とするための形状確定手段５２を前記パネル取付構造５が備えるように構成している。
【００３８】
弾性パネル要素５１は湾曲して形成された下枠６１と一体化された状態で湾曲パネル要素４１の上部に取り付ける。また、第１端部枠６６および第２端部枠６７を重ね合わさせた状態で溶接して一体化した後、両者の間により長手方向に沿って形成される溝の内部に弾性パネル要素５１の端部脚３１側の側縁を嵌め込むようにして設けるとともに、中間脚３２側の側縁に中間枠６８を設けるようにしている。中間枠６８は弾性パネル要素５１と隣接する別の弾性パネル要素（図示省略）との間で共通して設けられることで、両者の間に隙間を設けることなく連結することができるように構成している。さらに、弾性パネル要素５１の上縁には下枠とほぼ同一の曲率で湾曲して形成された上枠６９が設けられている。
【００３９】
上記パネル取付構造５とは、弾性パネル要素５１に上記の下枠６１、上枠６９、第１端部枠６６、第２端部枠６７、中間枠６８を含むとともに、これらを扇形天板要素２１に対して連結するためのブラケット２４、２４を含むものである。また、上記形状確定手段５２とは弾性パネル要素５１の湾曲形状を規定するものであり、これを取り付けるための複数の取付部としてのブラケット２４、２４、支持脚３（３１、３２）、および下枠６１を含むものとして構成している。
【００４０】
以下、図５〜図９を基にして本デスクシステムの組立方法について詳細に説明する。
【００４１】
なお、図５、図６および図８は、一例として開口部２ａ（図１参照）に面する位置の扇形天板要素２１を中心とした部材間の組立方法を示すものとして記載しているが、開口部２ａに面しないものであれば支持脚３が２個の中間脚３２によって構成されることになる。
【００４２】
まず、図５に示した支持脚３としての端部脚３１および中間脚３２は、上述したように各々天板受け部３１ａ、３２ａとこれらを支持するパネル状に形成された接地部３１ｂ、３２ｂとから構成されており、取り付ける湾曲パネル要素４１の中心に向かって配置する。接地部３１ｂの内側の側面には湾曲パネル要素４１を取り付けるためのネジ穴３１ｂ１、３１ｂ１が上下に離間しつつ２箇所に設けられている。同様に、接地部３２ｂの両側面には湾曲パネル要素４１を取り付けるためのネジ穴３２ｂ１〜３２ｂ１が各々２箇所に設けられている。また、接地部３２ｂの上部には、電気配線等を通すための連通孔３２ｂ２が両側面を貫通するようにして設けられている。
【００４３】
湾曲パネル要素４１には、上記端部脚３１および中間脚３２に設けられた上側のネジ穴３１ｂ１、３２ｂ１に対応する位置に連結部４１ａ、４１ａが設けられているとともに、下側のネジ穴３１ｂ１、３２ｂ１に対応する位置に連結部４１ｂ、４１ｂが設けられている。連結部４１ａ〜４１ｂは湾曲パネル要素４１の両端部より内側方向に張り出すように形成されており、このうち連結部４１ａ、４１ａは中心に丸孔を有する矩形状の板部として形成され、連結部４１ｂ、４１ｂは上方より棒状物に引っ掛けることができるフック状の板部として形成されている。
【００４４】
端部脚３１および中間脚３２に設けたネジ穴３１ｂ１〜３２ｂ１と、湾曲パネル要素４１に設けた連結部４１ａ〜４１ｂとを図示しないネジを介して連結することによって、端部脚３１および支持脚３２と湾曲パネル要素４１とを連結することができる。このような状態とすることで、端部脚３１と支持脚３２とは適切な位置関係で配置されて自立することが可能となる
【００４５】
同様にして、必要な個数だけ中間脚３２を湾曲パネル要素４１とともに連結していき、最後には再び端部脚３１を連結する。
【００４６】
上記のように組み立てた支持脚３および湾曲パネル要素４１に対して、図６のように扇形天板要素２１を組み付けていく。
【００４７】
この際、事前に扇形天板要素２１の下面２１ｅに２つのブラケット２３、２３を取り付けておく。ブラケット２３、２３は逆Ｌ字形に形成されているとともに、上面には扇形天板要素２１への取付用の孔部２３ａ、２３ａが各々形成されている。また、下側先端には、湾曲パネル要素４１と連結するためのフック状の連結部２３ｂが形成されている。他方、湾曲パネル要素４１には、上記ブラケット２３、２３の連結部２３ｂ、２３ｂと対応して、内周面の２箇所に縦向きのスリット状の開口部として連結部４１ｃ、４１ｃを形成している。
【００４８】
各ブラケット２３、２３は、上面の孔部２３ａ、２３ａと扇形天板要素２１の下面２１ｅに設けたネジ穴２１ｒとを図示しないネジによって締結することで、扇形天板要素２１の下面２１ｅに取り付けられる。そして、ブラケット２３、２３の下部先端の連結部２３ｂ、２３ｂを、扇形天板要素２１の内周面の連結部４１ｃ、４１ｃに引っ掛けるようにして係合させる。このようにして、扇形天板要素２１を支持脚３および湾曲パネル要素４１に対して位置決めするとともに、扇形天板要素２１の下面２１ｅを支持脚３の天板受け部３１ａ、３２ａによって支持させる。
【００４９】
本図では省略して記載しているものの、上述したように、湾曲パネル要素４１〜４１を介して必要な数だけ中間脚３２が連結され、開口部２ａ（図１参照）に面する反対側の端部には端部脚３１が再び接続される。そして、それぞれの支持脚３の上部には各々扇形天板要素２１が設けられる。また、１個の中間脚３２の天板受け部３２ｂによって、２個の扇形天板要素２１（、２１）の側縁２１ａ（、２１ａ）を同時に支持するように構成している。
【００５０】
このようにした状態で、図６のように、各扇形天板要素２１、２１を円周方向に連結する。その連結手段として、各扇形天板要素２１、２１には、その下面２１ｅの側縁２１ａ、２１ａには連続する連通溝２１ｉ〜２１ｉが形成されるとともに、これらを挟むようにして連結用凹部２１ｈ〜２１ｈが設けられている。そして、これらの内部にボルト２５ａ、角座金２５ｂおよび角ナット２５ｃからなる締結具２５、２５を各々挿入する。締結具２５、２５は、ボルト２５ａ、２５ａを締め込むことによってボルト頭と角ナット２５ｃとの距離を狭めることができ、こうすることで隣接する扇形天板要素２１、２１の側縁２１ａ、２１ａ同士を密着させて締結を行うことができるようにしている。このように各扇形天板要素２１〜２１は、支持脚３（図６参照）および湾曲パネル要素４１によって位置決めを行わせた状態で円周方向に連結させていく。
【００５１】
さらに、図６に戻って、扇形天板要素２１の下面２１ｅに設けたネジ穴２１ｐ〜２１ｐに対して、天板受け部３１ａ、３２ａに各々設けた孔部３１ａ１〜３２ａ１を介してネジ（図示せず）を螺着させる。こうすることで、扇形天板要素２１は支持脚３および湾曲パネル要素４１と完全に一体化される。
【００５２】
次に、上述のように組み立てた支持脚３、湾曲パネル要素４１および扇形天板要素２１に対して、図８のように、パネル取付構造５を設けて、このパネル取付構造５の一部を構成する弾性パネル要素５１とその下縁５１ｄに配される下枠６１とを一体化させつつ取り付けていく。
【００５３】
ここで、図９を用いて、弾性パネル要素５１の下縁５１ｄに設ける下枠６１の構成について説明する。
【００５４】
弾性パネル要素５１は弾性アクリルパネルを素材として用い、単体では平板状のパネル要素として形成されており、下枠６１等を介して取り付けられることによって所定の湾曲形状をなすように構成している。また、このアクリル素材として、透明なものや、白濁で透光性を有するものを使用することができる。下枠６１は、弾性パネル要素５１の下縁５１ｄの近傍を挟み込むように設けられ、内周面側と外周面側に各々位置する湾曲ビーム要素６２と湾曲板要素６５とから構成される。さらに、上記湾曲ビーム要素６２は、第１湾曲ビーム要素６３と第２湾曲ビーム要素６４によって構成される。
【００５５】
なお、上記の構成を機能的に見た場合、湾曲ビーム要素６２とこれと略同一の湾曲形状を有する湾曲板要素６５とを近接して配置することによって、両者の間で湾曲ビーム要素６２に沿って上方に開口した溝部６１ａを形成し、この溝部６１ａによって弾性パネル要素５１を挟持しつつ湾曲形状を形成するものといえる。
【００５６】
第１湾曲ビーム要素６３、第２湾曲ビーム要素６４および湾曲板要素６５は、各々金属製の板を切断した上で、ほぼ同一の曲率で湾曲させて形成されている。これらに対して、弾性パネル要素５１は十分弾性に富んだ可撓性を有しており、第１湾曲ビーム要素６３、第２湾曲ビーム要素６４、湾曲板要素６５によって挟みこまれることによって、これらの形状に沿って撓むことができるようになっている。
【００５７】
第１湾曲ビーム要素６３、第２湾曲ビーム要素６４および湾曲板要素６５の中でも、第１湾曲板要素６３は長手方向に湾曲しているのみではなく、長手方向に直交する断面で見た場合に、その中心部が内周側に向かってコ字状に突出した形状に折り曲げられている。そのため、長手方向に直交する方向への曲げに対して十分な強度を備えている。また、第２湾曲ビーム要素６４はその下部に５箇所の矩形状の突出部６４ｃ〜６４ｃを形成されている。
【００５８】
また、第１湾曲ビーム要素６３は上述したようにコ字状に突出した面に、後述するように支持脚３（図８参照）と連結するための端部ネジ穴６３ａ〜６３ａ、および扇形天板要素２１（図８参照）と連結するための中間部ネジ穴６３ｂ〜６３ｂが設けられている。
【００５９】
さらに、第１湾曲ビーム要素６３には、長手方向の両端部近傍に２箇所ずつ端部連結孔６３ｃ〜６３ｃが設けられるとともに、これらの間で、かつ長手方向に離間した２箇所の位置に各々２個ずつ中間部連結孔６３ｄ〜６３ｄが設けられている。また、このように第１湾曲ビーム要素６３に設けた端部連結孔６３ａ〜６３ａおよび中間部連結孔６３ｂ〜６３ｂに対応するように、第２湾曲ビーム要素６４にも端部連結孔６４ａ〜６４ａおよび中間連結孔６４ｂ〜６４ｂが設けられている。さらには、これらの位置に対応するように湾曲板要素６５には止着部としての端部連結部６５ａ〜６５ａおよび中間連結部６５ｂ〜６５ｂが円形の突出部が各々形成され、その中心は外周面に貫通しない範囲でネジ穴が形成されている。そして、これらと同様に、弾性パネル要素５１にも端部連結穴５１ａ〜５１ａおよび中間連結孔５１ｂ〜５１ｂが設けられているものの、これらは弾性パネル要素５１の湾曲を阻害しないように長手方向すなわち湾曲方向に延びる長孔状に形成されている。
【００６０】
これらを組み立てる際には、まず、弾性パネル要素５１ａ外周面側に湾曲板要素６５を配して、弾性パネル要素５１を湾曲させつつ端部連結孔５１ａ〜５１ａおよび中間連結孔５１ｂ〜５１ｂの内部に湾曲板要素６５の端部連結部６５ａ〜６５ａおよび中間連結部６５ｂ〜６５ｂを遊嵌する。この際、端部連結部６５ａ〜６５ａおよび中間連結部６５ｂ〜６５ｂの先端は、弾性パネル要素５１の厚み方向内に収まるように長さが設定している。
【００６１】
次に、弾性パネル要素５１の内周面側に湾曲ビーム要素６１を構成する第２湾曲ビーム要素６４と第１湾曲ビーム要素６３とを配して、各々の端部連結孔６４ａ〜６４ａ、６３ｃ〜６３ｃおよび中間部連結孔６４ｂ〜６４ｂ、６３ｄ〜６３ｄを湾曲板要素６５の端部連結部６５ａ〜６５ａおよび中間部連結部６５ｂ〜６５ｂと対応する位置に合わせて、図示しないネジを用いて螺着する。
【００６２】
こうすることで、弾性パネル要素５１は主として端部連結孔５１ａ〜５１ａおよび中間連結孔５１ｂ〜５１ｂ周囲の領域５１ｆ〜５１ｆを、湾曲ビーム要素６２および湾曲板要素６５の間で挟まれつつ、これらによって構成される下枠６１の各固定領域ＣＬ〜ＣＬで強固に位置を規制されることで、湾曲ビーム要素６２および湾曲板要素６５の湾曲に沿った形状に湾曲される。
【００６３】
このようにして、弾性パネル要素５１と下枠６１とを一体化した状態で、図８のように支持脚３、天板３および湾曲パネル要素４１に取付けを行う。
【００６４】
まず、下枠６１の下方に形成された５箇所の突出部６４ｃ〜６４ｃを湾曲パネル要素４１の上部に形成されている５箇所のスリット部４１ｄ〜４１ｄに係合させて位置決めを行う。そして、下枠６１の内周面の両端近傍に２個ずつ設けたネジ孔６３ａ〜６３ａによって、支持脚３が備える天板受け部３１ａ、３２ａの外周側に形成された孔部３１ａ２〜３２ａ２との間でネジ（図示せず）によって締結する。さらに、両端部間の中途の２箇所の位置で上下方向に離間して２個ずつ形成されたネジ孔６３ｂ〜６３ｂを、Ｌ字形のブラケット２４の孔部２４ｂ、２４ｂとの間でネジ（図示せず）を用いて連結し、このブラケット２４の上面に形成した孔部２４ａと扇形天板要素２１の下面に設けたネジ穴２１ｑ、２１ｑとの間でネジ（図示せず）によって連結する。
【００６５】
上述したように、形状確定手段５２とは弾性パネル要素５１の湾曲形状を規定するものであり、ブラケット２４、２４、支持脚３（３１、３２）、および下枠６１における固定領域ＣＬという複数の取付部を含むものとして構成している。このうち、ブラケット２４２４は、下枠６１の固定領域ＣＬを介して間接的に扇形天板要素２１に対し弾性パネル要素５１の中間の対応部位を規制するものとして機能し、支持脚３（３１、３２）も下枠６１の固定領域ＣＬを介して間接的に扇形天板要素２１に対し弾性パネル要素５１の側縁５１ｅ、５１ｅ近傍の対応部位を規制するものとして機能する。さらに、下枠６１は扇形天板要素２１の外周縁２１ｂより持ち出された位置に設定されるとともに、内部に有する複数の固定領域ＣＬ〜ＣＬの間で弾性パネル要素５１に設定される固定領域５１ｆ〜５１ｆの位置を直接的に規制する。このように下縁５１ｄの位置を規制されつつ連結されることで、弾性パネル要素５１はこれらの取付部３、２４、６１間で撓み、弾性パネル要素５１に比し十分に大きな剛性を持つ剛体として形成されている湾曲パネル要素４１や扇形天板要素２１の形状に沿って湾曲形状が形成される。
【００６６】
また、これらの湾曲方向に隣接する取付部３、２４、６１間においては、弾性パネル要素５１はほぼ一様な変形状態となるようにしており、一部が極端に変形したりすることによって過大な応力が作用して損傷を生じることがないようにしている。
【００６７】
また、下枠６１の中では、取付部の一部とであるその固定領域ＣＬ〜ＣＬが主に弾性パネル要素５１の撓みを規制して湾曲形状を確定するが、こうした固定領域が長手方向に連続するように一体として構成されて下枠６１が形成されている。そのため、各固定領域ＣＬ〜ＣＬの間の中間位置も、弾性パネル要素５１を挟み込んでいることから湾曲形状の確定に寄与しており、より微細な湾曲形状の形成に寄与している。
【００６８】
上記の形状確定手段５２を構成する各取付部は扇形天板要素２１の外周縁２１ｂより一体的に持ち出した位置になるように構成しているため、扇形天板要素２１の外周縁２１ｂに沿った形状に弾性パネル要素５１が湾曲して、より隙間を少なくして外観上の一体感を高め、美観を高めることができる。
【００６９】
さらに、弾性パネル要素５１の上縁５１ｃに上枠６９を設ける。上枠６９は弾性パネル要素５１に比し十分な剛性を有する金属によって形成するとともに、湾曲ビーム要素６１と同一の湾曲形状を有し、長手方向に沿って上縁５１ｃを嵌め込むための溝部を備えるように構成している。そして、上側より弾性パネル要素５１の上縁５１ｃに嵌め込むことで、弾性パネル要素５１の湾曲形状をより安定させたものとすることができる。
【００７０】
また、端部脚３１側の側縁５１ｅは、溶接により一体化される断面Ｌ字形の第１端部枠６６と第２端部枠６７の間で形成される溝の内部に嵌め込み、これら第１端部枠６６と第２端部枠６７の下側に形成されているフック部６６ａ、６７ａを重ね合わせた状態で、端部脚３１における天板受け部３１ａの外周側に形成されているスリット部３１ａ３に係合させる。こうすることで、弾性パネル要素５１の端部位置の安定化するとともに、端部側の側縁５１ｅの美観を高めることができるようになっている。
【００７１】
さらに、中間脚３２側の側縁５１ｅには中間枠６８を設ける。中間枠６８は図１２に示すように断面がＨ形に形成されており、長手方向に沿って２本の溝部６８ａ、６８ａを有するように形成されている。そして、互いに隣接する２つの弾性パネル要素５１の側縁５１ｅを上記溝部６８ａ、６８ａ内に嵌め込むようにして取り付ける。こうすることで、間接的に弾性パネル要素５１、５１の側縁５１ｅ、５１ｅ同士の連結を行い、双方の位置の安定化を図るとともに、隙間を生じさせることなく扇形天板要素２１の上方を外部より確実に遮蔽することができるようになっている。
【００７２】
なお、中間枠部材６８を取り付ける弾性パネル要素５１、５１の側縁５１ｅ、５１ｅを図１２のように単純に平面で切り落とした形状とすることは必須ではない。例えば、対向する側縁５１ｅ、５１ｅの双方に、厚み方向内に段差部として形成した凸状の突出部を設けておき、さらにこれらと対応する溝部を中間枠部材６８に形成して、この溝部と上記凸状の突出部とを係合させることで、中間枠部材６８を介して弾性パネル要素５１、５１を連結させてもよい。逆に、対向する側縁５１ｅ、５１ｅの双方に凹状に溝部を設けておき、これらと対応する凸状の突出部を中間枠部材６８に形成、あるいは、突出部そのものを連続させた単なる帯状体として中間枠部材６８を形成し、弾性パネル要素５１、５１に形成した溝部と上記凸状の突出部とを係合させることで、中間枠部材６８を介して弾性パネル要素５１、５１を連結させてもよい。これらの構成を採ることで、弾性パネル要素５１、５１と中間枠部材６８の厚みとを同一にすることができ、より表面の連続性を高めることが可能となる。
【００７３】
以上のように、図１における開口部２ａに隣接する扇形天板要素２１と、これを支持する支持脚３としての端部脚３１および中間脚３２と、これらに取り付ける湾曲パネル要素４１と弾性パネル要素５１とを１個の構成単位として例示しつつ説明を行ったが、同図で示すように扇形天板要素２１等からなる構成単位をさらに８個連結して構成することができる。
【００７４】
この際、開口部２ａに隣接している、すなわち、連設方向の両端部に位置する扇形天板要素２１、２１は各々１個の端部脚３１と１個の中間脚３２によって支持される。このうち端部脚３１の接地部３１ｂは長く形成されているために、両端部における扇形天板要素２１、２１は安定して支持される。また、たとえ扇形天板要素２１が支持脚３と一体となって倒れ込むようにして傾こうとする場合が生じたとしても、その倒れ込み方向は接地部３１ｂを短く形成された中間脚３１側になるため、隣接する扇形天板要素２１の側縁２１ａ（図２参照）によって支持されることで安定した支持状態を保つことができるようになっている。
【００７５】
他方、両端部以外の扇形天板要素２１〜２１は中間脚３２〜３２のみによって各々支持されているために、単独で使用した場合には本来、端部のものと比べて安定性が低いものである。具体的には、中間脚３２、３２と一体となって内周側に倒れ込むようにして傾こうとする傾向にある。しかしながら、扇形天板要素２１〜２１は放射状に形成される側縁２１ａ、２１ａ（図２参照）同士が当接するようにして設けられているため、内周側に倒れ込もうとする過程で、この側縁２１ａ、２１ａ同士がくさびとしての効果を発揮して互いに支え合うことになる。
【００７６】
さらには、扇形天板要素２１〜２１を支える支持脚３〜３は、湾曲パネル要素４１〜４１を介して相互に連結されることで全体として強度を増し、支持脚３〜３同士も互いに支持し合うようになっている。そのために、扇形天板要素２１〜２１の中心方向への倒れ込みもより一層防止することが可能となっている。同様に、支持脚３〜３は下枠６１〜６１によって相互に連結され、主に湾曲ビーム要素６２を強度メンバとして全体としての強度が高められているため、支持脚３〜３間で相互に支持し合う効果も高められている。
【００７７】
上記のように、部分環状天板２を構成する各扇形板要素２１〜２１は互いに支持し合うとともに、支持脚３〜３同士が湾曲パネル要素４１〜４１および湾曲ビーム要素６２〜６２によって連結され支持し合うことで、開口部２ａを備えつつも安定した形状を維持することができるようになっている。
【００７８】
さらに、上記のような扇形天板要素２１〜２１が支持脚と一体となって倒れ込む形態の位置ズレに加えて、支持脚３の変形によって扇形天板要素２１〜２１の内周縁（使用縁）の位置が下方向に下がるいわゆる前垂れが生じることも考えられる。こうした現象は、中間脚３２を構成する天板受け部３２ａが接地部３２ｂに対して片持ちに近い状態で張り出して設けられていることから、天板受け部３２ａの内周側先端が接地部３２ｂに対して前垂れするように変形することで生じることが予想される。
【００７９】
また、このようにして扇形天板要素２１が前垂れすると、図２に示す外周縁２１ｂは逆に持ち上がる方向に変位し、さらにはこの外周縁２１ｂが円弧状に形成されていることから、外周縁２１ｂの中でも側縁２１ａの近傍より中央部近傍がより持ち上がる方向に変位することになる。
【００８０】
しかしながら、扇形天板要素２１の外周縁２１ｂは図４に示したように、両端部で支持脚３に連結されるとともに、これらの間の位置でブラケット２４、２４を介して下枠６１に、さらにブラケット２３を介して湾曲パネル要素４１に接続されている。そのため、これらによって上下方向の変位を規制されることで、扇形天板要素２１の前垂れは規制されることになる。
【００８１】
さらには、扇形天板要素２１の前垂れが生じる場合には、隣接する扇形天板要素２１との間で側縁２１ａ、２１ａ同士が離間する方向に変位することになるが、図７を用いて説明したように側縁２１ａ、２１ａ同士を突き合わせて締結具２５、２５を用いて連結しているために、双方の側縁２１ａ、２１ａが離間しないように互いに支持し合う力が作用して前垂れを抑制する効果も生じている。
【００８２】
上記のように、部分環状天板２を構成する各扇形板要素２１〜２１は湾曲パネル要素４１や下枠６１によって支持され、さらには隣接するもの同士の連結力によって互いに支持されることによって前垂れを抑制され、安定した形状を維持することができるようにもなっている。また、中間脚３２の接地部３２ｂの長さを短くして、扇形天板要素２１の外周縁２１ｂ近傍に設けることで、下肢空間を広げることが可能となっている。そのため、人の出入りのための開口部２ａを形成しつつ、作業時に他人が目に入ることなく集中しやすい外向き着座型として好適に使用することができるとともに、扇形天板要素２１〜２１の連結部においても中間脚３２に干渉することなく椅子やワゴンを自由に配置することができ、使用する形態の幅を広げて利便性や快適さを向上させることが可能となる。
【００８３】
また、上述したように、各扇形天板要素２１と対応するように、その幅方向の両端近傍に設けた支持脚３（３１、３２）によって湾曲パネル要素４１と弾性パネル要素５１は各々１個ずつ設けられており、ユニットとしての最小単位を構成する。このように幅方向の大きさを対応させて構成していることから、連結の順序にさほど配慮を要せず、組立を容易に行うことができるようになっている。さらに、弾性パネル要素５１においては、こうした両端の取付部３、３によって側縁５１ｅ、５１ｅの位置決めを容易に行うことができるために、所定の湾曲形状を得やすくなるとともに、隣接する弾性パネル要素５１との間での連続性を得ることが容易になる。
【００８４】
また、本実施形態のデスクシステム１では、上述したように扇形天板要素２１〜２１の数を変更して部分環状天板２の大きさを異ならせることも可能としており、１個の扇形天板要素２１により部分環状天板２を構成する場合には支持脚３〜３として端部脚３１、３１のみを用い、２〜８個の扇形天板要素２１〜２１を連結させて部分環状天板２を構成する場合には支持脚３〜３として端部脚３１、３１と中間脚３２〜３２の双方を用いることで、安定して部分環状天板２を自立させることが可能である。このように、扇形天板要素２１〜２１の連結数を変更することによって、端部脚３１、３１間の距離および互いの向きは異なるが、各扇形天板要素２１〜２１は、上述したように端部脚３１、３１だけに頼って支持されているわけではないため、転倒を行う方向に力が作用しても、連結構造全体が捩れたり端部脚３１、３１に無理な力が掛かったりすることがなく安定状態を保つことが可能となっている。
【００８５】
さらには、部分環状天板２をＣ形になるまで扇形天板要素２１〜２１を連結しなくても、１８０°以上の部分円環を形成する程度の個数で連結する場合には、支持脚３〜３として、端部脚３１、３１を用いることなく外周側近傍を支持する中間脚３２〜３２のみを用いて構成することで適切に自立させることも可能である。本デスクシステム１における部分環状天板２は、端部脚３１、３１だけによって支持されているだけではなく、幕板としての湾曲パネル要素４１〜４１や湾曲ビーム要素６１〜６１等とも組み合わされた連結構造全体で支持するものであり、部分環状天板２が１８０°以上であれば、湾曲パネル要素４１〜４１や湾曲ビーム要素６１〜６１と中間脚３２〜３２のみでも部分環状天板の重心を適切に支持して自立させることが可能である。極端な場合においては、上述したように湾曲パネル要素４１〜４１の下面が直接設置面に当接して接地部を構成するものとすれば、この湾曲パネル要素４１〜４１と１８０°以上に形成した部分環状天板２のみでも自立させることが可能となる。
【００８６】
以下、図１０および図１１を基にして、各扇形天板要素２１に設けられる配線蓋７２周辺の構成について説明する。
【００８７】
上述したように、扇形天板要素２１の外周側には天板下の配線空間を開放するための開口部２１ｆ、２１ｇが設けられている。また、扇形天板要素２１の外周には、弾性パネル要素５１との間に軟質樹脂製の配線カバー部材７０を設けており、隙間を無くすように構成している。
【００８８】
各開口部２１ｆ、２１ｇは、扇形天板要素２１との統一感を持たせるために小さな扇形として形成するとともに、中央に設けた開口部２１ｆが端部に設けた開口部２１ｇの二倍の大きさとなるようにしている。すなわち、扇形天板要素２１を並べて配置した際には、端部の開口部２１ｇは隣接する扇形天板要素２１の端部に設けられた開口部２１ｇと一体となって、中央部の開口部２１ｆと同じ大きさになるようにしている。
【００８９】
そして、開口部２１ｆ、２１ｇを閉止するための樹脂製の配線蓋７１、７２を取り外し可能に設けている。さらに、この配線蓋７１、７２と対向するようにして、図１１に示したように枠体としての配線蓋受け７３、７４を扇形天板要素２１の下側より取り付けている。なお、図１１は扇形天板要素２１の中央に設ける開口部２１ｆ周辺のみを例として示したものであり、端部の開口部２１ｇ（図１０参照）周辺は開口部２１ｆの中央を境界とする半分の部材によって構成する。
【００９０】
配線蓋７１、７２は左右対称の形状に構成されており、平板状に形成された鍔部７１ａ、７２ａと、開口部２１ｆの開口縁２１ｆ１に沿ってＬ字形に突出したガイド部７１ｂ、７２ｂを備えている。鍔部７１ａ、７２ａは双方を合わせることで開口部２１ｆよりも大きな寸法に形成されている。配線蓋７１、７２は開口部２１ｆに取り付けることで、鍔部７１ａ、７２ａが扇形天板要素２１の表面に当接しつつ、開口部２１ｆ全体を覆うことができるように形成されている。鍔部７１ａ、７２ａは天板２上に常に露出するため、この部分を持ち手として配線蓋７１、７２は取外しを行うことができる。ガイド部７１ｂ、７２ｂの側面には溝部７１ｃ、７２ｃが鍔部７１ａ、７２ａと平行になるようにそれぞれ形成されており、この各溝部７１ｃ、７２ｃの内部に円筒形状の２つの永久磁石７１ｄ１〜７２ｄ１を設けている。
【００９１】
配線蓋受け７３、７４はＬ字形の平板状に形成された鍔部７３ａ、７４ａと、開口部２１ｆの開口縁２１ｆ１に沿うＬ字形に突出させたガイド部７３ｂ、７４ｂを備えており、これらのガイド部７３ｂ、７４ｂを開口部２１ｆ内に挿入する。そして、各鍔部７３ａ、７４ａに設けている孔部７３ｅ〜７３ｅ、７４ｅ〜７４ｅを介して、ネジ（図示せず）により扇形天板要素２１に対して固定するようにしている。配線蓋受け７３、７４のガイド部７３ｂ、７４ｂにも、配線蓋７１、７２と同様、側面に溝部７３ｃ、７４ｃが、鍔部７３ａ、７４ａと平行になるように形成されており、その内部に円筒形状の２つの永久磁石７３ｄ〜７４ｄを各々設けている。
【００９２】
このように枠体としての配線蓋受け７３、７４を用いて、開口部２１ｆ、２１ｇに永久磁石７３ｄ〜７４ｄを設けているため、容易かつ強固に永久磁石７３ｄ〜７４ｄを配置することが可能となっている。
【００９３】
配線蓋７１、７２側に設けた永久磁石７１ｄ〜７２ｄと、配線蓋受け７３、７４側に設けた永久磁石７３ｄ〜７４ｄとは互いに対向する位置関係になるように設けており、対向する磁極面（対向磁極面）７１ｄ１〜７４ｄ１は互いに吸引力を生じる磁性となるように形成している。より具体的には、永久磁石７１ｄ〜７４ｄは全て同一の円筒形状として軸方向に磁化されたものを用いるとともに、扇形天板要素２１に取り付けた際に全ての磁極の向きが同一となるように配置している。
【００９４】
また、それぞれの永久磁石７１ｄ〜７４ｄを内部に保持する溝部７１ｃ〜７４ｃは、それぞれ鍔部７１ａ〜７４ａと平行に形成されており、天板２の一部を構成する扇形天板要素２１に取り付けた際には天板２と略平行になるため、永久磁石７１ｄ〜７４ｄが有する対向磁極面７１ｄ１〜７４ｄ１もそれぞれ天板２と略平行になる。そのため、磁気による吸引方向を天板２に対する略垂直方向として、閉止時の配線蓋７１、７２の位置を安定させることができる。また、同一の配線蓋７１（７２）内に設ける永久磁石７１ｄ、７１ｄ（７２ｄ、７２ｄ）の対向磁極面７１ｄ１、７１ｄ１（７２ｄ１、７２ｄ１）同士はほぼ同一の平面内に構成できるとともに、配線蓋受け７１、７２を用いて開口部２１ｆ、２１ｇに設ける永久磁石７３ｄ〜７４ｄの対向磁極面７３ｄ１〜７４ｄ１同士をほぼ同一の平面内に構成することができる。そのため、対向する対向磁極面７１ｄ１〜７４ｄ１間の隙間をほぼ同一として均等に磁気吸引力を作用させることができ、より閉止時の配線蓋７１、７２の位置をより安定化させることができるとともに、凹凸を無くして着脱を容易にすることが可能となる。
【００９５】
また、この磁気吸引力は、対向する永久磁石７１ｄ〜７４ｄによって生じさせているため、自動的に心出しが行われて左右に位置がずれることなく配線蓋７１、７２を所定の位置に適切に合わせることができるようになる。さらに、配線蓋７１、７２側の永久磁石７１ｄ〜７２ｄと、開口部２１ｆ、２１ｇ側の永久磁石７３ｄ〜７４ｄとは、対応するもの同士で対をなしており、各配線蓋７１、７２は離間して設けられている二対の対向する永久磁石７１ｄ・７３ｄ、７１ｄ・７３ｄ（７２ｄ・７４ｄ、７２ｄ・７４ｄ）によって位置決めされている。そのため各配線蓋７１、７２は水平面内での回転方向に対しても規制して、より容易に位置決めすることができる。
【００９６】
さらに、配線蓋７１、７２は磁気吸引力によって天板２上で固定がなされるために、係合構成を用いる場合に比べて、部品の精度を低くすることが可能であるとともに、固定力に生じる個体差も少なくなる。
【００９７】
以上のように、本実施形態における天板付き家具としてのデスクシステム１は、天板２の縁部２ｂに沿ってパネル要素５１〜５１が設けられるものにおいて、前記パネル要素５１〜５１が弾性変形可能な平板状のパネル素材より形成されているとともに、剛体である天板２の縁部２ｂ若しくは当該縁部２ｂに沿って前記天板２より離間した位置に設けた複数の取付部３、２４、６１からなる形状確定手段５２を備えており、当該形状確定手段５２の各取付部３、２４、６１に前記パネル要素５１〜５１の一部を各々取り付けることで、前記天板２の縁部２ｂに沿って前記パネル要素５１〜５１の形状を確定させるように構成したものである。
【００９８】
このように構成しているため、様々な形状の天板２に対応でき、その天板２の縁部２ｂに沿って適切にパネル要素５１〜５１の形状を決定させつつ設けることができるため、天板２とパネル要素５１〜５１との間での一体感を生じさせることが可能となる。また、各々の部品製作が容易で安価に製造できるとともに、組立が容易であるため製造コストを低減することも可能となる。
【００９９】
また、前記パネル要素５１〜５１が湾曲方向に隣接する取付部３、２４、６１間でほぼ一様な変形状態となるように構成しているため、パネル要素５１〜５１内で局所的な過大となる応力を生じさせず損傷を生じさせることがない。
【０１００】
また、前記パネル要素５１〜５１が、前記天板２の上部に起立させたデスクトップパネルを構成するように設けられているため、天板２上を外部から遮蔽する機能を備えている。
【０１０１】
また、前記天板２が複数の天板要素２１〜２１を幅方向に連結して構成されているとともに、前記デスクトップパネルが前記各天板要素２１〜２１の幅と対応した複数のパネル要素５１〜５１を連結して構成されており、各天板要素２１〜２１の端部近傍に配置された取付部３、３を左右一対としてその間に１個のパネル要素５１〜５１を取り付けるように構成しているため、天板要素２１〜２１に対応するユニットとして連結数の増減を簡便にできるように構成可能であるとともに、パネル要素５１〜５１の端部の位置決めをしっかりと行うことが可能となる。
【０１０２】
また、前記パネル要素５１〜５１の隣接する側縁５１ｅ、５１ｅを間接的に連結するように構成しているため、各パネル要素５１〜５１の端部の位置決めを寄り安定して行うとともに、パネル要素間５１〜５１に隙間を生じさせることなく、より遮蔽効果を高めることができる。
【０１０３】
また、前記取付部３、２４、６１に、前記天板２に固定されるブラケット２４、２４を含み、このブラケット２４、２４に前記パネル要素５１の対応部位を取り付けるように構成しているため、パネル要素５１〜５１の形状を簡単かつ適切に決定することが可能となっている。
【０１０４】
また、前記取付部３、２４、６１に、前記天板２を支持する複数の支持脚３、３を含み、これらの支持脚３、３に前記パネル要素５１の対応部位を取り付けるように構成しているため、パネル要素５１〜５１の形状をさらに簡単かつ適切に決定することが可能となっている。
【０１０５】
また、前記取付部３、２４、６１に、前記パネル要素５１の湾曲形状を保持する枠部材６１を含み、この枠部材６１に沿って前記パネル要素５１の縁部５１ｄを取り付けるように構成しているため、パネル要素５１の形状をより微細に設定することを可能となっている。
【０１０６】
また、前記パネル要素５１に湾曲方向に長孔状をなす貫通孔５１ａ〜５１ａを設け、この貫通孔５１ａ〜５１ａに、パネル要素５１を取り付けるための止着部６５ａ〜６５ａを遊嵌させて取り付けるように構成しているため、パネル要素５１の湾曲を妨げず、無理な力を作用させることなく適切に位置決めを行うことができるようになっている。
【０１０７】
なお、各部の具体的な構成は、上述した実施形態のみに限定されるものではない。
【０１０８】
例えば、上述の実施形態においては、弾性を用いて湾曲することで非平面パネルを構成するパネル要素として、いわゆるデスクトップパネルを構成する弾性パネル要素５１〜５１を構成していたが、同様に、いわゆる幕板を構成する湾曲パネル要素４１〜４１においても可撓性を有するパネル素材を用いて同様に構成することが可能である。
【０１０９】
また、上述の実施形態のように環状に天板２を構成した上で、外周側を使用縁とする場合も考えられる。この場合には、反使用縁側である内周縁に弾性パネル要素５１〜５１および湾曲パネル要素４１〜４１を取り付ける構成にすれば良く、内周の湾曲形状に沿って一体感を持たせつつ非平面パネルを構成することができる。さらには、天板２は環状以外の様々な形状とすることができ、その外周縁に沿って弾性パネル要素５１〜５１を湾曲させることで天板２との一体感を持たせた形状に容易に形成することができる。
【０１１０】
また、上述の実施形態においては、隣接する弾性パネル要素５１、５１の側縁５１ｅ、５１ｅ間に共通の中間枠６８を設けて、この中間枠６８を介して間接的に両者を連結させることで隙間を生じないように構成していたが、図１３に示すように、各弾性パネル要素１５１、１５１の側縁の片方に凹状係合部１５１ｅ１を、他方に凸状係合部１５１ｅ２を設けておき、これらを互いに突き合わせて係合させることで直接的に連結を行い、双方の位置決めを行いつつ隙間が生じないように構成することも可能である。
【０１１１】
また、上述の実施形態においては、弾性パネル要素５１の湾曲形状を決定するための形状確定手段５２としての取付部の一部を構成する固定領域ＣＬ〜ＣＬを、下枠６１として弾性パネル要素５１の幅と同一となる長さに連続した形状としていたが、これらを複数個に分割する構成としてもよく、各取付部の位置を適正に保つことができる限り、弾性パネル要素５１の湾曲を行わせるための機能は失われることはない。このように複数に分割するとすることで、部品点数は増大するものの、下枠６１を構成する部品を小型化して簡単に製作を行うことができるようになり好適である。
【０１１２】
また、下枠６１の一部を構成する湾曲ビーム要素６２（図９参照）を、図１４のように４つに分割して構成した第１湾曲ビーム要素２６３〜２６３と、これを取り付ける湾曲板状の第２湾曲ビーム要素２６４として簡略化して構成することが可能となる。こうすると、第１湾曲ビーム要素２６３〜２６３の製作が容易になるとともに、軽量化を図ることができる。また、弾性パネル要素５１は、第２湾曲ビーム要素２６４に形成した連結孔２６４ｃ〜２６４ｄを利用して取り付けられることで、第２湾曲ビーム要素２６４の湾曲形状に沿わせることが可能となる。第１湾曲ビーム要素２６３〜２６３が分割されたことで曲げ剛性が必要以上に低下する場合には、第２湾曲ビーム要素２６４の厚みを増加させることで対処が可能である。
【０１１３】
また、図８に示した下枠６１下方に形成した突出部６４ｃ〜６４ｃと、湾曲パネル要素４１の上方に形成したスリット部４１ｄ〜４１ｄとの係合により、弾性パネル要素５１の位置決めが十分に行うことができる場合には、ブラケット２４、２４を使用しない構成とすることも可能である。この場合には、さらにブラケット２３、２３（図４参照）の形状および取付方法を変更して、図１５のように配線受けとしての機能を持たせるように構成することも可能である。この例では、３つのブラケット３２３〜３２３によって、扇型天板要素３２１と湾曲パネル要素３４１とを連結させる。このブラケット３２３は金属板を用いて形成されており、上方と下方を反対方向に９０°に折り曲げることで上面と下面とがオフセットされた位置に平行して形成される。また、下面は上面に対して幅広に設定されており、当該部分が配線受けとして機能する。そして、上面および下面に形成した孔部３２３ｂ〜３２３ｂ、３２３ａ〜３２３ａを用いて、扇形天板要素３２１下面のネジ孔３２１ｑ〜３２１ｑおよび湾曲パネル要素３４１上面のネジ孔３４１ｃ〜３４１ｃに取り付けられる。このようにして、扇形天板要素３２１に対して湾曲パネル要素３４１の位置決めがなされるとともに、扇形天板要素３２１の外周縁３２１ｂの下方に配線受けが形成される。
【０１１４】
また、上述の実施形態では、湾曲ビーム要素６２と湾曲板要素６５とを近接して配置することによって両者の間で溝部６１ａを形成していたが、図１６に示すようにこれらを当初から一体に構成した下枠４６１として構成することも可能である。下枠４６１の上部に上方が開口されつつ長手方向に湾曲した溝部４６１ａを形成しておき、当該溝４６１ａに沿って弾性パネル要素５１を湾曲させつつ上方から差し込むことによって簡便に取付けを行うこともできる。
【０１１５】
こうした構成をさらに発展させた場合には、図１７のように取付部材の一部を構成する下枠５６１、５６１を二つに分割しつつ、小型の嵌め込み部材として構成して弾性パネル要素５５１の下縁５５１ｄの中間位置にそれぞれ取り付けた上で、これらを直接、天板板要素５２１の縁部５２１ｂに取り付けてもよい。さらに、弾性パネル要素５５１の側縁５５１ｅに取付部材の一部を構成する端部枠５６８、５６８を嵌め込み、これらを直接、天板要素５２１の縁部５２１ｂの両端近傍に取付けるようにすれば、これらの４つの取付部材５６１、５６１、５６８、５６８によって弾性パネル要素５５１を天板要素５２１の縁部５２１ｂに沿って撓ませて形状を確定することができる。このように構成した場合には、より弾性パネル要素５５１を湾曲させるための構造が簡単になるとともに、各取付部材５６１、５６１、５６８、５６８の取付位置を調整することによって、弾性パネル要素５５１の湾曲形状を微小に変化させて調整することも可能である。また、この構成においては、各取付部材５６１、５６１、５６８、５６８間で弾性パネル要素５５１の支持を行っていないため、湾曲に際して弾性パネル要素５５１に無理な力を与えることがないとともに、ほぼ一様に変形して自然な湾曲形状を形成することができる。
【０１１６】
また、上述の実施形態においては、天板２が複数の天板要素２１〜２１より構成されるデスクシステム１として構成していたが、天板２の縁部２ｂに沿って弾性変形可能なパネル素材からなる遮蔽パネルを湾曲させることによって得られる上述の効果は、一体として形成される単独の天板２より構成されるデスクの場合であっても同様に得ることができる。例えば、図１８に模式的に示したように、非矩形状の天板６０２を有するデスクであり、そのデスクの内側の使用縁以外に１個の弾性パネル要素６５１を取り付けることも考えられる。側縁６０２ａ、６０２ａが曲線で形成されており、反使用縁６０２ｂが直線で形成されており、これらが滑らかにつながっている場合には、１個の弾性パネル要素６５１によってデスクトップパネルを形成することができる。この場合においても、両端の一対の取付部と、これらの間の取付部として４箇所の固定部ＣＬ〜ＣＬを設定し、これらに弾性パネル要素６５１を取り付けることによって、適切に湾曲形状を設定しつつ位置決めを図ることが可能である。こうした場合においても、湾曲方向に対して隣接する取付部ＣＬ〜ＣＬ間ではほぼ一様な変形状態を形成するように設定することで、弾性パネル要素６５１に無理な力を作用させることなく、自然な湾曲形状を形成することが可能である。
【０１１７】
また、図１０および図１１を用いて説明した配線蓋７１および７２の構成も、図１９のように永久磁石を用いない構成にすることも可能である。例えば、扇形天板要素７２１の外周縁７２１ｂの中央に形成された開口部７２１ｆに、軸開閉式の配線蓋７７１を取り付けてもよい。この際、事前に扇形天板要素７２１の裏面より、２本の軸状突出部７７２ａ〜７７３ｂを有する配線蓋受け７７２、７７３をそれぞれ取り付け、軸状突出部７７２ａと７７３ａ、７７２ｂと７７３ｂが、それぞれ対向しつつ開口部７２１ｆの両端より内側に向かって突出するように構成する。配線蓋７７１は、その裏面の両側に下方向に開口された係合部７７１ａ〜７７１ｂを形成されており、これらが配線蓋受け７７２、７７３に形成された軸状突出部７７２ａ〜７７３ｂと係合するように設けることで、配線蓋７７１が開口縁７２１ｆ１との間で僅かな隙間を形成しつつ開口部７２１ｆを遮蔽するようにしている。さらに、配線蓋７７１の係合部７７１ａ〜７７１ｂは軸状突出部７７２ａ〜７７３ｂとの係合を軽い力で解除できるように形状および寸法が設定しているため、配線蓋７７１は対向して対となる軸状突出部７７２ａと７７３ａ、７７２ｂと７７３ｂのいずれかを軸として、内側または外側の両方向に開閉することが可能となる。扇形天板要素７２１の端部に形成される開口部２１ｇ（図１参照）は、隣接するもの扇形天板要素７２１の端部に形成される開口部２１ｇと一体となって中央の開口部７２１ｆと同じ形状となるため、上記と同一の配線蓋７７１および配線蓋受け７７２、７７３を用いて同様に構成できる。この場合、開口部２ａ（図１参照）に面する配線蓋のみ他の半分の大きさで形成し、別途、これに対応させた配線蓋受けを設置すれば良い。
【０１１８】
さらには、デスクシステムやデスクのみでなく、天板２とこの天板２の上または下側を外部より遮蔽するための遮蔽パネルとを備える天板付き家具であれば、変わることなく本発明を好適に適用することが可能である。
【符号の説明】
【０１１９】
１…デスクシステム（天板付き家具）
２…部分環状天板（天板）
２ａ…開口部
２ｂ…外周縁
２ｃ…内周縁
３…支持脚
２１…扇形天板要素
２１ａ…側縁
２３、２４…ブラケット
３１…端部脚
４１…湾曲パネル要素（幕板）
５１…弾性パネル要素（デスクトップパネル）
５１ｅ…側縁
５２…形状確定手段
６１…下枠（枠部材）
６２…湾曲ビーム要素
６５…湾曲板要素
ＣＬ…固定領域
【図１】
0005958952.tif 000002
【図２】
0005958952.tif 000003
【図３】
0005958952.tif 000004
【図４】
0005958952.tif 000005
【図５】
0005958952.tif 000006
【図６】
0005958952.tif 000007
【図７】
0005958952.tif 000008
【図８】
0005958952.tif 000009
【図９】
0005958952.tif 000010
【図１０】
0005958952.tif 000011
【図１１】
0005958952.tif 000012
【図１２】
0005958952.tif 000013
【図１３】
0005958952.tif 000014
【図１４】
0005958952.tif 000015
【図１５】
0005958952.tif 000016
【図１６】
0005958952.tif 000017
【図１７】
0005958952.tif 000018
【図１８】
0005958952.tif 000019
【図１９】
0005958952.tif 000020